(57)【特許請求の範囲】
【請求項１】
テレビ受信機が、当該テレビ受信機に標準のアクセス先として設定されている第１のサーバに送信したサービス提供要求を、サービス制御装置が受信するステップと、
前記テレビ受信機が前記第１のサーバに送信したサービス提供要求への応答として、前記第１のサーバが提供する第１のサービスと、前記テレビ受信機に標準のアクセス先として設定されていない第２のサーバが提供する第２のサービスとを含むサービス一覧情報を、前記サービス制御装置が前記テレビ受信機に送信するステップと、
前記テレビ受信機が前記サービス一覧情報を受信すると、前記テレビ受信機が前記サービス一覧情報に基づいて、前記第１のサービスに対応する選択肢と前記第２のサービスに対応する選択肢とを含むサービス選択画面を表示する処理を行うステップと、
を有することを特徴とするサービス制御方法。
【請求項２】
テレビ受信機が、当該テレビ受信機に標準のアクセス先として設定されている第１のサーバに送信したサービス提供要求を、サービス制御装置が受信するステップと、
前記テレビ受信機が前記第１のサーバに送信したサービス提供要求への応答として、前記第１のサーバが提供する第１のサービスと、前記テレビ受信機に標準のアクセス先として設定されていない第２のサーバが提供する第２のサービスとを含むサービス一覧情報を、前記第１のサーバ及び前記第２のサーバとは異なるサーバ装置が前記サービス制御装置を介して前記テレビ受信機に送信するステップと、
前記テレビ受信機が前記サービス一覧情報を受信すると、前記テレビ受信機が前記サービス一覧情報に基づいて、前記第１のサービスに対応する選択肢と前記第２のサービスに対応する選択肢とを含むサービス選択画面を表示する処理を行うステップと、
を有することを特徴とするサービス制御方法。
【請求項３】
前記サービス制御装置は、前記テレビ受信機と前記第１のサーバとの間の通信経路上に設けられていることを特徴とする請求項１または請求項２に記載のサービス制御方法。
【請求項４】
第１のサーバが標準のアクセス先として設定されているテレビ受信機と前記第１のサーバとの間の通信経路上に設けられるサービス制御装置であって、
前記テレビ受信機が前記第１のサーバに送信したサービス提供要求を受信する受信部と、
前記テレビ受信機が前記第１のサーバに送信したサービス提供要求への応答として、前記第１のサーバが提供する第１のサービスと、前記テレビ受信機に標準のアクセス先として設定されていない第２のサーバが提供する第２のサービスとを含むサービス一覧情報を前記テレビ受信機に送信する送信部と、を有し、
前記サービス一覧情報は、前記テレビ受信機が前記サービス一覧情報を受信すると、前記サービス一覧情報に含まれる前記第１のサービスに対応する選択肢と前記第２のサービスに対応する選択肢とを含むサービス選択画面が前記テレビ受信機に表示されることを特徴とするサービス制御装置。
【請求項５】
第１のサーバが標準のアクセス先として設定されているテレビ受信機に提供されるサービス一覧情報を配信するサーバ装置であって、
前記テレビ受信機から前記第１のサーバに送信されたサービス提供要求が前記サーバ装置に変更されると、前記サーバ装置へのサービス提供要求に対する応答として、前記第１のサーバが提供する第１のサービスと、前記テレビ受信機に標準のアクセス先として設定されていない第２のサーバが提供する第２のサービスとを含む前記サービス一覧情報を送信する送信部を有し、
前記サービス一覧情報は、前記テレビ受信機が前記サービス一覧情報を受信すると、前記サービス一覧情報に含まれる前記第１のサービスに対応する選択肢と前記第２のサービスに対応する選択肢とを含むサービス選択画面が前記テレビ受信機に表示されることを特徴とするサーバ装置。
【発明の詳細な説明】
【技術分野】
【０００１】
本発明は、テレビ受信機に対するサービスの提供を制御するためのサービス制御方法、サービス制御装置、及びサーバ装置に関する。
【背景技術】
【０００２】
近年、ネットワーク技術の発展に伴い、テレビ放送を受信するテレビ受信機もネットワーク接続可能になってきている。このようなテレビ受信機は、インターネットを介して、サーバが提供するサービス（例えば、ＶＯＤ（Ｖｉｄｅｏ  Ｏｎ  Ｄｅｍａｎｄ）サービス等）を利用することができる。
【０００３】
また、ＶＯＤサービスに対応したテレビ受信機に対して、ＶＯＤサービス毎に異なる操作情報を表示させるための方法が提案されている（特許文献１参照）。なお、特許文献１に記載の方法は、利用可能な複数のＶＯＤサービスが予めテレビ受信機に設定されていることを前提とするものである。
【先行技術文献】
【特許文献】
【０００４】
【特許文献１】特開２００７−１６６３６５号公報
【発明の概要】
【発明が解決しようとする課題】
【０００５】
しかしながら、ネットワーク接続可能な従来のテレビ受信機は、利用可能なサービスが標準（デフォルト）として固定的に設定されており、そのままの状態では、他のサービスを利用することができないという問題がある。
【０００６】
他のサービスを利用するためには、例えば、他のサービスを提供するサーバのアドレス等をリモコンから手入力することで新規に設定する方法が考えられるが、テレビ受信機のリモコンは入力キーが限られているため、そのような方法は必ずしも容易ではない。
【０００７】
そこで、本発明は、テレビ受信機が標準のサービス以外のサービスを容易に利用できるサービス制御方法、サービス制御装置、及びサーバ装置を提供することを目的とする。
【課題を解決するための手段】
【０００８】
上述した課題を解決するために、本発明は以下のような特徴を有している。
【０００９】
まず、本発明に係るサービス制御方法の特徴は、テレビ受信機（テレビ受信機３００）が、当該テレビ受信機に標準のアクセス先として設定されている第１のサーバ（サービス提供サーバ５０１）に送信したサービス提供要求を、サービス制御装置（サービス制御装置１００）が受信するステップと、前記テレビ受信機が前記第１のサーバに送信したサービス提供要求への応答として、前記第１のサーバが提供する第１のサービスと、前記テレビ受信機に標準のアクセス先として設定されていない第２のサーバ（サービス提供サーバ５０２）が提供する第２のサービスとを含むサービス一覧情報を、前記サービス制御装置が前記テレビ受信機に送信するステップと、前記テレビ受信機が前記サービス一覧情報を受信すると、前記テレビ受信機が前記サービス一覧情報に基づいて、前記第１のサービスに対応する選択肢と前記第２のサービスに対応する選択肢とを含むサービス選択画面を表示する処理を行うステップと、を有することを要旨とする。
【００１０】
このような特徴によれば、標準のサービス（第１のサービス）を利用するためのアクセスに対する応答として、標準のサービス以外のサービス（第２のサービス）が追加されたサービス一覧情報をテレビ受信機に送信し、テレビ受信機は、受信したサービス一覧情報に基づいて、第１のサービスに対応する選択肢と第２のサービスに対応する選択肢とを含むサービス選択画面を表示する。これにより、テレビ受信機の利用者は、テレビ受信機に対して特別な設定を行うことなく、標準のサービス以外のサービスを利用することができる。
【００１１】
したがって、上記特徴に係るサービス制御方法によれば、標準のサービス以外のサービスをテレビ受信機が容易に利用できる。
【００１２】
本発明に係るサービス制御方法の他の特徴は、テレビ受信機（テレビ受信機３００）が、当該テレビ受信機に標準のアクセス先として設定されている第１のサーバ（サービス提供サーバ５０１）に送信したサービス提供要求を、サービス制御装置（サービス制御装置１００）が受信するステップと、前記テレビ受信機が前記第１のサーバに送信したサービス提供要求への応答として、前記第１のサーバが提供する第１のサービスと、前記テレビ受信機に標準のアクセス先として設定されていない第２のサーバ（サービス提供サーバ５０２）が提供する第２のサービスとを含むサービス一覧情報を、前記第１のサーバ及び前記第２のサーバとは異なるサーバ装置（サーバ装置２００）が前記サービス制御装置を介して前記テレビ受信機に送信するステップと、前記テレビ受信機が前記サービス一覧情報を受信すると、前記テレビ受信機が前記サービス一覧情報に基づいて、前記第１のサービスに対応する選択肢と前記第２のサービスに対応する選択肢とを含むサービス選択画面を表示する処理を行うステップと、を有することを要旨とする。
【００１３】
本発明に係るサービス制御方法の他の特徴は、上記特徴に係るサービス制御方法において、前記サービス制御装置は、前記テレビ受信機と前記第１のサーバとの間の通信経路上に設けられていることを要旨とする。
【００１４】
本発明に係るサービス制御装置の特徴は、第１のサーバ（サービス提供サーバ５０１）が標準のアクセス先として設定されているテレビ受信機（テレビ受信機３００）と前記第１のサーバとの間の通信経路上に設けられるサービス制御装置（サービス制御装置１００）であって、前記テレビ受信機が前記第１のサーバに送信したサービス提供要求を受信する受信部（ＣＰＵ１０２及びＬＡＮ  Ｉ／Ｆ１０１Ａ）と、前記テレビ受信機が前記第１のサーバに送信したサービス提供要求への応答として、前記第１のサーバが提供する第１のサービスと、前記テレビ受信機に標準のアクセス先として設定されていない第２のサーバ（サービス提供サーバ５０２）が提供する第２のサービスとを含むサービス一覧情報を前記テレビ受信機に送信する送信部（ＣＰＵ１０２及びＬＡＮ  Ｉ／Ｆ１０１Ａ）と、を有し、前記サービス一覧情報は、前記テレビ受信機が前記サービス一覧情報を受信すると、前記サービス一覧情報に含まれる前記第１のサービスに対応する選択肢と前記第２のサービスに対応する選択肢とを含むサービス選択画面が前記テレビ受信機に表示されることを要旨とする。
【００１５】
本発明に係るサーバ装置の特徴は、第１のサーバ（サービス提供サーバ５０１）が標準のアクセス先として設定されているテレビ受信機（テレビ受信機３００）に提供されるサービス一覧情報を配信するサーバ装置（サーバ装置２００）であって、前記テレビ受信機から前記第１のサーバに送信されたサービス提供要求が前記サーバ装置に変更されると、前記サーバ装置へのサービス提供要求に対する応答として、前記第１のサーバが提供する第１のサービスと、前記テレビ受信機に標準のアクセス先として設定されていない第２のサーバ（サービス提供サーバ５０２）が提供する第２のサービスとを含む前記サービス一覧情報を送信する送信部を有し、前記サービス一覧情報は、前記テレビ受信機が前記サービス一覧情報を受信すると、前記サービス一覧情報に含まれる前記第１のサービスに対応する選択肢と前記第２のサービスに対応する選択肢とを含むサービス選択画面が前記テレビ受信機に表示されることを要旨とする。
【発明の効果】
【００１６】
本発明によれば、テレビ受信機が標準のサービス以外のサービスを容易に利用できるサービス制御方法、サービス制御装置、及びサーバ装置を提供できる。
【図面の簡単な説明】
【００１７】
【図１】第１実施形態〜第３実施形態に係るサービス提供システムの構成を示す図である。
【図２】図２（ａ）は、サービス選択画面の第１の構成例を示す図であり、図２（ｂ）は、サービス選択画面の第２の構成例を示す図である。
【図３】第１実施形態〜第３実施形態に係るサービス制御装置の構成を示すブロック図である。
【図４】第１実施形態に係るサービス提供システムの動作を説明するためのシーケンス図である。
【図５】第２実施形態に係るサービス提供システムの動作を説明するためのシーケンス図である。
【図６】第３実施形態に係るサービス提供システムの動作を説明するためのシーケンス図である。
【発明を実施するための形態】
【００１８】
図面を参照して、本発明の第１実施形態〜第３実施形態、及びその他の実施形態を説明する。以下の各実施形態における図面において、同一又は類似の部分には同一又は類似の符号を付す。
【００１９】
［第１実施形態］
図１は、第１実施形態に係るサービス提供システムの構成を示す図である。
【００２０】
図１に示すように、第１実施形態に係るサービス提供システムは、サービス制御装置１００と、サーバ装置２００と、テレビ受信機３００と、ルータ４００と、複数のサービス提供サーバ５０１〜５０４と、を有する。
【００２１】
テレビ受信機３００は、ネットワーク接続可能に構成されており、Ｗｅｂブラウザ機能を有する。テレビ受信機３００は、サービスＡが標準（デフォルト）として設定されている。サービスＡは、例えばテレビ受信機３００のメーカーが運営するＶＯＤサービスである。テレビ受信機３００は、リモコン３０１によって遠隔操作される。
【００２２】
複数のサービス提供サーバ５０１〜５０４は、インターネット１０に接続されている。サービス提供サーバ５０１はサービスＡを提供し、サービス提供サーバ５０２はサービスＢを提供し、サービス提供サーバ５０３はサービスＣを提供し、サービス提供サーバ５０４はサービスＤを提供する。
【００２３】
サーバ装置２００は、インターネット１０に接続されている。サーバ装置２００は、例えばサービス制御装置１００のメーカーによって運営されており、複数のサービス提供サーバ５０１〜５０４のそれぞれが提供するサービス（サービスＡ，Ｂ，Ｃ，Ｄ）に関する情報を管理する。サーバ装置２００は、サービスＡ，Ｂ，Ｃ，Ｄを含むサービス一覧情報をサービス制御装置１００に定期的に配信する。
【００２４】
サービス一覧情報は、例えば、サービス毎のＩＤ（サービス名）と、サービス毎のアドレス（ＵＲＬ）と、サービス毎のアカウント情報（ユーザＩＤやパスワード等）と、サービス毎の通信プロトコルと、を含む。
【００２５】
ルータ４００は、サービス制御装置１００に接続されるとともに、インターネット１０に接続される。ルータ４００は、サービス制御装置１００とインターネット１０との間で各種の情報を中継（ルーティング）する。
【００２６】
サービス制御装置１００は、テレビ受信機３００に接続されるとともに、ルータ４００に接続される。サービス制御装置１００は、テレビ受信機３００からルータ４００への情報と、ルータ４００からテレビ受信機３００への情報とを解釈し、該情報の内容に応じた処理を行ったり、該情報を中継したりする。サービス制御装置１００は、サーバ装置２００から配信されるサービス一覧情報を記憶している。
【００２７】
このように構成されたサービス提供システムにおいて、サービス制御装置１００は、サービス提供サーバ５０１が標準のアクセス先として設定されているテレビ受信機３００からサービス提供サーバ５０１へのアクセスを検出すると、サービス提供サーバ５０１へのアクセスに対する応答として、テレビ受信機３００に対して、サービス提供サーバ５０１が提供するサービスＡとサービス提供サーバ５０２，５０３，５０４が提供するサービスＢ，Ｃ，Ｄとを含むサービス一覧情報を送信する。
【００２８】
なお、サービス一覧情報は、ＨＴＭＬ（HyperText Markup Language）又はＢＭＬ（Broadcast Markup Language）などによって記述される。
【００２９】
テレビ受信機３００は、サービス一覧情報を受信すると、該サービス一覧情報に基づいて、サービスＡ，Ｂ，Ｃ，Ｄのそれぞれに対応する選択肢を含むサービス選択画面を表示する。テレビ受信機３００の利用者がリモコン３０１によってサービスＡ，Ｂ，Ｃ，Ｄの何れかを選択すると、テレビ受信機３００は、選択されたサービスを提供するサーバへアクセスする。
【００３０】
図２（ａ）は、サービス選択画面の第１の構成例を示す図である。図２（ａ）に示すように、第１の構成例に係るサービス選択画面は、サービスＡ，Ｂ，Ｃ，Ｄのそれぞれに対応する選択肢を含む。図２（ｂ）は、サービス選択画面の第２の構成例を示す図である。図２（ｂ）に示すように、第２の構成例に係るサービス選択画面は、サービスＡのジャンル（例えば、邦画、洋画等）毎の選択肢と、サービスＢ，Ｃ，Ｄのそれぞれに対応する選択肢を含む。第１の構成例及び第２の構成例の何れにおいても、各選択肢は、例えばリモコン３０１の上下左右キー及び決定キーの操作によって選択される。
【００３１】
次に、サービス制御装置１００の構成を説明する。図３は、サービス制御装置１００の構成を示すブロック図である。
【００３２】
図３に示すように、サービス制御装置１００は、ＬＡＮ  インターフェイス（Ｉ／Ｆ）１０１Ａと、ＬＡＮ  Ｉ／Ｆ１０１Ｂと、中央演算処理ユニット（ＣＰＵ）１０２と、ランダム・アクセス・メモリ（ＲＡＭ）１０３と、フラッシュメモリ１０４と、を有する。
【００３３】
ＬＡＮ  Ｉ／Ｆ１０１Ａは、テレビ受信機３００に無線又は有線で接続されるように構成される。ＬＡＮ  Ｉ／Ｆ１０１Ｂは、ルータ４００に無線又は有線で接続されるように構成される。
【００３４】
ＣＰＵ１０２は、ＲＡＭ１０３に記憶されているプログラムを実行することで、サービス制御装置１００の各種機能を制御する。本実施形態では、ＣＰＵ１０２は、テレビ受信機３００からサービス提供サーバ５０１へのアクセスを検出する検出部に相当する。また、ＣＰＵ１０２は、サービス提供サーバ５０１へのアクセスに対する応答として、テレビ受信機３００に対して、サービス提供サーバ５０１が提供するサービスＡとサービス提供サーバ５０２，５０３，５０４が提供するサービスＢ，Ｃ，Ｄとを含むサービス一覧情報を送信する送信部に相当する。
【００３５】
ＲＡＭ１０３は、フラッシュメモリ１０４から読み出され、ＣＰＵ１０２によって実行されるプログラムを一時的に記憶するとともに、ＣＰＵ１０２の作業領域として使用される。
【００３６】
フラッシュメモリ１０４は、ＣＰＵ１０２によって実行されるプログラムを記憶する。また、フラッシュメモリ１０４は、サーバ装置２００から配信され、ＬＡＮ  Ｉ／Ｆ１０１Ｂが受信したサービス一覧情報を記憶する。さらに、フラッシュメモリ１０４は、サービス提供サーバ５０１のアドレスを、テレビ受信機３００の標準のアクセス先として記憶する。
【００３７】
次に、第１実施形態に係るサービス提供システムの動作を説明する。図４は、第１実施形態に係るサービス提供システムの動作を説明するためのシーケンス図である。
【００３８】
図４に示すように、ステップＳ１０１において、サーバ装置２００は、上述したサービス一覧情報を、インターネット１０を介してサービス制御装置１００に配信する。なお、サーバ装置２００は、サービス制御装置１００からの要求に応じて、上述したサービス一覧情報を配信してもよい。サービス制御装置１００のＬＡＮ  Ｉ／Ｆ１０１Ｂは、ルータ４００を介してサーバ装置２００からのサービス一覧情報を受信する。
【００３９】
ステップＳ１０２において、サービス制御装置１００のＣＰＵ１０２は、ＬＡＮ  Ｉ／Ｆ１０１Ｂが受信したサービス一覧情報をフラッシュメモリ１０４に記憶する。ここで、フラッシュメモリ１０４に既にサービス一覧情報が記憶されている場合には、ＣＰＵ１０２は、既に記憶されているサービス一覧情報を新たなサービス一覧情報によって更新する。
【００４０】
ステップＳ１０３において、例えばリモコン３０１に設けられたポータル・サービス・キーを利用者が押下することによって、テレビ受信機３００は、標準のサービスＡを提供するサービス提供サーバ５０１へアクセスする。詳細には、テレビ受信機３００は、サービス提供サーバ５０１のアドレスを宛先アドレスとして含むサービス提供要求を送信する。サービス制御装置１００のＬＡＮ  Ｉ／Ｆ１０１Ａは、サービス提供要求を受信する。
【００４１】
ステップＳ１０４において、サービス制御装置１００のＣＰＵ１０２は、ＬＡＮ  Ｉ／Ｆ１０１Ａが受信したサービス提供要求に含まれる宛先アドレスに基づいて、サービス提供サーバ５０１へのアクセスを検出し、フラッシュメモリ１０４に記憶されているサービス一覧情報を読み出す。
【００４２】
ステップＳ１０５において、サービス制御装置１００のＣＰＵ１０２は、サービス提供要求に対する応答として、サービス一覧情報をテレビ受信機３００に送信するようＬＡＮ  Ｉ／Ｆ１０１Ａを制御する。テレビ受信機３００は、サービス一覧情報を受信する。
【００４３】
ステップＳ１０６において、テレビ受信機３００は、受信したサービス一覧情報に基づいて、図２に示したようなサービス選択画面を表示する。
【００４４】
ステップＳ１０７において、例えばリモコン３０１に設けられた上下左右キー及び決定キーを用いてサービスＢを利用者が選択することによって、ステップＳ１０８において、テレビ受信機３００は、サービスＢを提供するサービス提供サーバ５０２へアクセスする。ここで、サービス一覧情報は、サービス提供サーバ５０２のアドレス等を含んでいるため、テレビ受信機３００は、サービス一覧情報に含まれるサービス提供サーバ５０２のアドレス等に基づきサービス提供サーバ５０２へアクセスすることができる。詳細には、テレビ受信機３００は、サービス提供サーバ５０２のアドレスを宛先アドレスとして含むサービス提供要求を送信する。サービス制御装置１００のＬＡＮ  Ｉ／Ｆ１０１Ａは、サービス提供要求を受信する。
【００４５】
ステップＳ１０９において、サービス制御装置１００のＣＰＵ１０２は、ＬＡＮ  Ｉ／Ｆ１０１Ａが受信したサービス提供要求をルータ４００に送信するようＬＡＮ  Ｉ／Ｆ１０１Ｂを制御する。このように、サービス提供サーバ５０２へのアクセスについては、サービス制御装置１００は単に中継を行うのみである。ルータ４００は、受信したサービス提供要求をサービス提供サーバ５０２に中継し、サービス提供サーバ５０２は、サービス提供要求を受信する。その結果、テレビ受信機３００は、サービス提供サーバ５０２からのサービスＢの提供を受けることになる。
【００４６】
以上説明したように、第１実施形態に係るサービス制御装置１００は、標準のサービス（サービスＡ）を利用するためのアクセスに対する応答として、標準のサービス以外のサービス（サービスＢ，Ｃ，Ｄ）が追加されたサービス一覧情報をテレビ受信機３００に送信し、テレビ受信機３００は、受信したサービス一覧情報に基づいて、サービスＡ，Ｂ，Ｃ，Ｄのそれぞれに対応する選択肢を含むサービス選択画面を表示する。これにより、テレビ受信機３００の利用者は、テレビ受信機３００に対して特別な設定を行うことなく、標準のサービス以外のサービス（例えばサービスＢ）を利用することができる。
【００４７】
［第２実施形態］
以下において、第２実施形態について、第１実施形態との相違点を主として説明する。第２実施形態に係るサービス提供システムは、図１と同様に構成される。
【００４８】
図５は、第２実施形態に係るサービス提供システムの動作を説明するためのシーケンス図である。
【００４９】
図５に示すように、ステップＳ２０１〜ステップＳ２０３の各処理は、第１実施形態で説明した動作と同様である。
【００５０】
ステップＳ２０４において、サービス制御装置１００のＣＰＵ１０２は、ＬＡＮ  Ｉ／Ｆ１０１Ａが受信したサービス提供要求に含まれる宛先アドレスに基づいて、サービス提供サーバ５０１へのアクセスを検出する。
【００５１】
ステップＳ２０５において、サービス制御装置１００のＣＰＵ１０２は、ＬＡＮ  Ｉ／Ｆ１０１Ａが受信したサービス提供要求をルータ４００に送信するようＬＡＮ  Ｉ／Ｆ１０１Ｂを制御する。このように、本実施形態では、サービス制御装置１００は、サービス提供サーバ５０２へのアクセスについて中継を行う。ルータ４００は、受信したサービス提供要求をサービス提供サーバ５０１に中継し、サービス提供サーバ５０１は、サービス提供要求を受信する。
【００５２】
ステップＳ２０６において、サービス提供サーバ５０１は、受信したサービス提供要求に対する応答として、サービスＡのサービス情報を送信する。サービスＡのサービス情報とは、例えば、サービスＡによって通常提供されるサービス画面情報である。サービス制御装置１００のＬＡＮ  Ｉ／Ｆ１０１Ｂは、ルータ４００を介してサービスＡのサービス情報を受信する。
【００５３】
ステップＳ２０７において、サービス制御装置１００のＣＰＵ１０２は、ＬＡＮ  Ｉ／Ｆ１０１Ｂが受信したサービスＡのサービス情報に対して、サービスＢ，Ｃ，Ｄのそれぞれについてのサービス情報を追加（合成）することによって、サービス一覧情報を作成する。
【００５４】
ステップＳ２０８において、サービス制御装置１００のＣＰＵ１０２は、テレビ受信機３００からのサービス提供要求に対する応答として、作成したサービス一覧情報をテレビ受信機３００に送信するようＬＡＮ  Ｉ／Ｆ１０１Ａを制御する。テレビ受信機３００は、サービス一覧情報を受信する。
【００５５】
ステップＳ２０９〜ステップＳ２１２の各処理は、第１実施形態で説明した動作と同様である。
【００５６】
以上説明したように、第２実施形態によれば、第１実施形態と同様の効果を得ることができる。また、第２実施形態によれば、サービス提供サーバ５０１からテレビ受信機３００へサービスＡのサービス情報が送信される途中で他のサービス（サービスＢ，Ｃ，Ｄ）を追加することによって、サービスＡのサービス情報が最新の状態であることを保証できる。
【００５７】
［第３実施形態］
以下において、第３実施形態について、第１実施形態との相違点を主として説明する。第３実施形態に係るサービス提供システムは、図１と同様に構成される。ただし、第３実施形態においては、サーバ装置２００がサービス一覧情報をサービス制御装置１００に配信することを要しない。
【００５８】
図６は、第３実施形態に係るサービス提供システムの動作を説明するためのシーケンス図である。
【００５９】
図６に示すように、ステップＳ３０１において、例えばリモコン３０１に設けられたポータル・サービス・キーを利用者が押下することによって、テレビ受信機３００は、標準のサービスＡを提供するサービス提供サーバ５０１へアクセスする。詳細には、テレビ受信機３００は、サービス提供サーバ５０１のアドレスを宛先アドレスとして含むサービス提供要求を送信する。サービス制御装置１００のＬＡＮ  Ｉ／Ｆ１０１Ａは、サービス提供要求を受信する。
【００６０】
ステップＳ３０２において、サービス制御装置１００のＣＰＵ１０２は、ＬＡＮ  Ｉ／Ｆ１０１Ａが受信したサービス提供要求に含まれる宛先アドレスに基づいて、サービス提供サーバ５０１へのアクセスを検出する。
【００６１】
ステップＳ３０３において、サービス制御装置１００のＣＰＵ１０２は、ＬＡＮ  Ｉ／Ｆ１０１Ａが受信したサービス提供要求に含まれる宛先アドレスをサーバ装置２００のアドレスに書き換えることによって、アクセス先をサーバ装置２００に変更する。なお、サーバ装置２００のアドレスは、予めフラッシュメモリ１０４に記憶されているものとする。
【００６２】
ステップＳ３０４において、ＣＰＵ１０２は、宛先アドレス書き換え後のサービス提供要求をルータ４００に送信するようＬＡＮ  Ｉ／Ｆ１０１Ｂを制御する。このように、本実施形態では、サービス制御装置１００は、サービス提供サーバ５０２へのアクセスについて、サーバ装置２００へのアクセスに変更する処理を行う。ルータ４００は、受信したサービス提供要求をサーバ装置２００に中継し、サービス提供サーバ５０１は、サービス提供要求を受信する。
【００６３】
ステップＳ３０５において、サーバ装置２００は、受信したサービス提供要求に対する応答として、上述したサービス一覧情報をテレビ受信機３００に宛てて送信する。サービス制御装置１００のＬＡＮ  Ｉ／Ｆ１０１Ｂは、ルータ４００を介してサービス一覧情報を受信する。
【００６４】
ステップＳ３０６において、サービス制御装置１００のＣＰＵ１０２は、ＬＡＮ  Ｉ／Ｆ１０１Ｂが受信したサービス一覧情報をテレビ受信機３００に送信するようＬＡＮ  Ｉ／Ｆ１０１Ａを制御する。テレビ受信機３００は、サービス一覧情報を受信する。
【００６５】
ステップＳ３０７〜ステップＳ３１０の各処理は、第１実施形態で説明した動作と同様である。
【００６６】
以上説明したように、第３実施形態に係るサーバ装置２００は、標準のサービス（サービスＡ）を利用するためのアクセスに対する応答として、標準のサービス以外のサービス（サービスＢ，Ｃ，Ｄ）が追加されたサービス一覧情報をテレビ受信機３００に送信し、テレビ受信機３００は、受信したサービス一覧情報に基づいて、サービスＡ，Ｂ，Ｃ，Ｄのそれぞれに対応する選択肢を含むサービス選択画面を表示する。これにより、テレビ受信機３００の利用者は、テレビ受信機３００に対して特別な設定を行うことなく、標準のサービス以外のサービスを利用することができる。
【００６７】
［その他の実施形態］
上記のように、本発明は各実施形態によって記載したが、この開示の一部をなす論述及び図面はこの発明を限定するものであると理解すべきではない。この開示から当業者には様々な代替実施形態、実施例及び運用技術が明らかとなる。
【００６８】
例えば、上述した各実施形態では、ディスプレイ（モニタ）が一体化されたテレビ受信機３００を例に説明したが、ディスプレイを有していないテレビ受信機を使用してもよい。ディスプレイを有していないテレビ受信機とは、例えば、テレビチューナを搭載したＨＤＤレコーダや、テレビチューナを搭載したＤＶＤプレーヤなどを指す。ディスプレイを有していないテレビ受信機がサービス一覧情報を受信した場合、該テレビ受信機は、サービス選択画面を表示するように外付けのディスプレイを制御する。
【００６９】
また、上述した各実施形態では、サービス制御装置１００は、テレビ受信機３００とルータ４００との間に設けられていたが、ルータ４００とインターネット１０との間に設けられていてもよく、サービス提供サーバ５０１側に設けられていてもよい。つまり、サービス制御装置１００は、テレビ受信機３００とサービス提供サーバ５０１との間の通信経路上に設けられていればよい。
【００７０】
さらに、サービス制御装置１００は、コンテンツデータを蓄積するための蓄積手段（ＨＤＤなど）を有していてもよい。これにより、サービス制御装置１００をネットワーク対応ストレージ装置（ＮＡＳ）としても使用可能になる。また、ルータ４００の機能をサービス制御装置１００に搭載することによって、ルータ４００を不要とする構成も可能である。
【００７１】
このように本発明は、ここでは記載していない様々な実施形態等を包含するということを理解すべきである。
【符号の説明】
【００７２】
１０…インターネット、１００…サービス制御装置、１０１Ａ…ＬＡＮ  Ｉ／Ｆ、１０１Ｂ…ＬＡＮ  Ｉ／Ｆ、１０２…ＣＰＵ、１０３…ＲＡＭ、１０４…フラッシュメモリ、２００…サーバ装置、３００…テレビ受信機、３０１…リモコン、４００…ルータ、５０１〜５０４…サービス提供サーバ
【図１】
0005790076.tif 000002
【図２】
0005790076.tif 000003
【図３】
0005790076.tif 000004
【図４】
0005790076.tif 000005
【図５】
0005790076.tif 000006
【図６】
0005790076.tif 000007